(57)【要約】【課題】ミミズを利用した生物処理によるリサイクルシステムとすることにより、有機物のリサイクルのみならず、ミミズの増殖、拡販をも考慮する。【解決手段】センター装置１は、生ゴミ排出者端末２からの生ゴミ情報に基づいて搬送者端末４に回収及び搬送指示を出力するとともに、養殖者端末３に搬送されてくる生ゴミ情報を出力する手段と、養殖者端末３から送信されてくる糞の量を堆肥情報として管理するとともに、増殖したミミズの増殖分の量を養殖情報として管理する管理手段と、堆肥利用者端末５から送信されてくる発注要求に基づき、管理手段にて管理している堆肥情報に従って養殖者端末３に堆肥の出荷指示を出力する手段と、新規養殖者端末６から送信されてくるミミズの発注要求に基づき、管理手段にて管理している養殖情報に従って養殖者端末３にミミズの出荷指示を出力する手段とを備えている。【選択図】　図２
2004136200.tif 000002
【特許請求の範囲】
【請求項１】
生ゴミ排出者が排出した生ゴミを、ミミズを養殖している養殖者に餌として搬入し、搬入された生ゴミを分解することによってミミズから排出された糞を堆肥として販売することにより、生ゴミ処理のリサイクルを実現するとともに、搬入された生ゴミを餌として増殖したミミズを新たな養殖者に販売することにより、生ゴミ処理経路を拡大していくことを特徴とするミミズを利用した生ゴミ処理方法。
【請求項２】
生ゴミを排出する生ゴミ排出者の端末と、排出された生ゴミを養殖しているミミズの餌として受け取る養殖者の端末と、生ゴミ排出者から排出される生ゴミを回収して任意の養殖者に搬送する搬送者の端末と、前記生ゴミ排出者端末、養殖者端末及び搬送者端末を管理する管理センター装置とが通信回線を介して接続された生ゴミ処理システムであって、
前記管理センター装置は、
前記生ゴミ排出者端末から送信されてくる排出される生ゴミの情報に基づいて前記搬送者端末に回収及び搬送指示を出力するとともに、前記養殖者端末に搬送されてくる生ゴミの情報を出力する手段と、
前記養殖者端末から送信されてくる生ゴミを分解することによってミミズから排出された糞の量を堆肥情報として管理するとともに、生ゴミを餌として増殖したミミズの増殖分の量を養殖情報として管理する管理手段と、
堆肥を購入して一般ユーザ等に販売する堆肥販売者や農家の端末から通信回線を介して送られてくる発注要求に基づき、前記管理手段にて管理している堆肥情報に従って前記養殖者端末に堆肥の出荷指示を出力する手段と、
新たな養殖者となることを希望する新規養殖者の端末から通信回線を介して送られてくるミミズの発注要求に基づき、前記管理手段にて管理している養殖情報に従って前記養殖者端末にミミズの出荷指示を出力する手段とを備えたことを特徴とする生ゴミ処理システム。
【発明の詳細な説明】
【０００１】
【発明の属する技術分野】
本発明は、大量の有機物（生ゴミ等）を安全、無公害かつ安価に処理することのできるミミズを利用した生ゴミ処理方法及び生ゴミ処理システムに関する。
【０００２】
【従来の技術】
従来、食品工場や飲食店などから出る生ゴミ等の有機物は、産業廃棄物処理業者に委託して焼却処分したり、地中に埋設したりする場合がほとんどであった。また、一般家庭から出る生ゴミも、地方自治体が焼却処分していた。
【０００３】
この場合、焼却温度によってはダイオキシンが発生する問題があり、地中に埋設した場合には有害物質が析出して土壌汚染を引き起こす等の問題があった。
【０００４】
そのため、最近では環境への影響に配慮し、生ゴミ等の有機物を焼却したり地中に埋設したりするのではなく、資源としてリサイクルする種々の手法が提案されている。
【０００５】
例えば、消費者から排出された生ゴミ等の有機物を有機微生物で発酵処理して堆肥化、飼料化し、農家、畜産、水産業の新たな食糧の生産に再利用する静脈リサイクルと、これらの堆肥、飼料を利用して製造された食糧資源を各消費者に流通、消費させる動脈サイクルとからなる一般廃棄物リサイクル支援システム及び一般廃棄物リサイクル方法が提案されている。このシステムでは、消費者用コンピュータと処理加工業者用コンピュータとホストコンピュータとが通信回線によって相互に接続され、消費者用コンピュータや処理加工業者用コンピュータから入力された情報を、ホストコンピュータで収集、整理、加工して一括管理する構成となっている（例えば、特許文献１参照）。
【０００６】
【特許文献１】
特開２００２−７３９０４号公報
【０００７】
【発明が解決しようとする課題】
上記した一般廃棄物リサイクル支援システムは、乳酸菌、酵母、光合成菌、放射線菌類等の有機微生物による発酵処理にて堆肥や飼料を製造するリサイクルシステムとなっている。そのため、定期的に微生物を入れ替えたり、追加したりしなければならず、また微生物も別途培養しておかなければならないため、微生物の管理が難しく、有機物のリサイクルを安定して維持することが難しいといった問題があった。また、その維持費も高額となり、実用性にかけることから、有機微生物による処理方法は現在ではほとんど普及していないのが現状である。
【０００８】
しかも、上記の一般廃棄物リサイクルシステムでは、主眼はあくまで有機廃棄物の効率的リサイクルにあり、有機廃棄物を堆肥や飼料に処理する有機微生物については、システム上ではいわゆる消耗品的な扱いになっている。そのため、有機微生物もコンピュータネットワーク上で取り扱うシステムについては現在までのところ提案されていない。
【０００９】
本発明は係る問題点を解決すべく創案されたもので、その目的は、生ゴミのリサイクル処理を、有機微生物ではなくミミズを利用した生物処理によるリサイクルシステムとすることにより、有機物のリサイクルのみならず、ミミズの増殖、拡販をも考慮したミミズを利用した生ゴミ処理方法及び生ゴミ処理システムを提供することにある。
【００１０】
【課題を解決するための手段】
本発明のミミズを利用した生ゴミ処理方法は、生ゴミ排出者が排出した生ゴミを、ミミズを養殖している養殖者に餌として搬入し、搬入された生ゴミを分解することによってミミズから排出された糞を堆肥として販売することにより、生ゴミ処理のリサイクルを実現するとともに、搬入された生ゴミを餌として増殖したミミズを新たな養殖者に販売することにより、生ゴミ処理経路を拡大していくことを特徴としている。
【００１１】
ミミズを利用して生ゴミを処理することは、従来から学校や一般家庭でも行われているが、本発明は、これを一学校や一家庭のレベルに留めるのではなく、生ゴミ排出者、ミミズを利用して生ゴミを処理する養殖者、増殖したミミズを販売等する販売者などを体系的に関連付けることにより、より効率的な生ゴミ処理リサイクルを実現するものである。すなわち、ミミズは生ゴミを処理することによって増殖していくが、その増殖分を新たな養殖希望者に販売する段階をも備えることにより、効率的な生ゴミ処理リサイクルのみならず、生ゴミ処理経路を拡大させていく点に特徴を有している。
【００１２】
そのため、本発明のミミズを利用した生ゴミ処理システムは、生ゴミを排出する生ゴミ排出者の端末と、排出された生ゴミを養殖しているミミズの餌として受け取る養殖者の端末と、生ゴミ排出者から排出される生ゴミを回収して任意の養殖者に搬送する搬送者の端末と、前記生ゴミ排出者端末、養殖者端末及び搬送者端末を管理する管理センター装置とが通信回線を介して接続された生ゴミ処理システムであって、前記管理センター装置は、前記生ゴミ排出者端末から送信されてくる排出される生ゴミの情報に基づいて前記搬送者端末に回収及び搬送指示を出力するとともに、前記養殖者端末に搬送されてくる生ゴミの情報を出力する手段と、前記養殖者端末から送信されてくる生ゴミを分解することによってミミズから排出された糞の量を堆肥情報として管理するとともに、生ゴミを餌として増殖したミミズの増殖分の量を養殖情報として管理する管理手段と、堆肥を購入して一般ユーザ等に販売する堆肥販売者や農家の端末から通信回線を介して送られてくる発注要求に基づき、前記管理手段にて管理している堆肥情報に従って前記養殖者端末に堆肥の出荷指示を出力する手段と、新たな養殖者となることを希望する新規養殖者の端末から通信回線を介して送られてくるミミズの発注要求に基づき、前記管理手段にて管理している養殖情報に従って前記養殖者端末にミミズの出荷指示を出力する手段とを備えたことを特徴としている。
【００１３】
すなわち、管理センター装置では、生ゴミ排出者端末から送信されてくる生ゴミの情報に基づいて搬送者端末に回収及び搬送指示を出力するとともに、養殖者端末に搬送されてくる生ゴミの情報を出力するといった生ゴミ処理のリサイクルの他に、養殖者端末から送信されてくる糞の量を堆肥情報として管理するとともに、ミミズの増殖分を養殖情報として管理し、新たな養殖者となることを希望する新規養殖者の端末から通信回線を介して送られてくるミミズの発注要求に基づき、管理している養殖情報に従って養殖者端末にミミズの出荷指示を出力し、新規養殖者も取り込んで生ゴミ処理の経路を拡大していくものである。
【００１４】
【発明の実施の形態】
以下、本発明の実施の形態について、図面を参照して説明する。
【００１５】
図１は、本発明のミミズを利用した生ゴミ処理方法の全体的な流れを示す説明図である。
【００１６】
本実施形態の生ゴミ処理方法は、管理センターＡが中心となって各種の取り次ぎを行うものであり、生ゴミ排出者Ｂが排出した生ゴミを搬送者Ｃが回収し、ミミズを養殖している養殖者Ｄに餌として搬入する。養殖者Ｄは、搬入された生ゴミを分解することによってミミズから排出された糞を堆肥として販売するために堆肥情報を管理センターＡに通知し、管理センターＡは、通知された堆肥情報に基づき、堆肥利用者Ｅからの注文（発注）を受けて堆肥を販売する。これにより、生ゴミ処理のリサイクルを実現している。
【００１７】
また、養殖者Ｄは、搬入された生ゴミを餌として増殖したミミズの増殖分を養殖情報として管理センターＡに通知し、管理センターＡは、通知された養殖情報に基づき、ミミズを購入して新たに養殖者となることを希望する新規養殖者Ｆからの注文（発注）を受けてミミズを販売する。これにより、ミミズによる生ゴミ処理経路を拡大していくことができる。
【００１８】
ここで、生ゴミ排出者Ｂとは、例えば食品メーカー、スーパー、ホテル、コンビニエンスストア等の生ゴミを大量に排出する企業等のことである。また、養殖者Ｄとは、ミミズの養殖を専門に行う者でもよいし、例えば農作物を生産する生産農家が養殖者を兼用してもよい。また、搬送者Ｃとは、宅配業者や運送業者等のことである。また、新規養殖者Ｆとは、例えば学校であったり、一般家庭であったりするが、ミミズによる生ゴミ処理をビジネスとして本システムに参加を希望する者も当然に含まれる。
【００１９】
上記したように、本実施形態の生ゴミ処理方法は、基本的に仕入れの発生しない（すなわち、在庫を持つ必要の無い）方法となっている。また、ミミズの養殖、増殖に必要な餌は、生ゴミ排出者Ａである企業等からの排出ゴミを有料にて引き取り、餌に変えている。
【００２０】
なお、本実施形態では、ミミズによる処理だけでなく、チップによる発酵処理も併せて行ってもよい。チップでの処理を併せて行うことにより、例えば現在のミミズの量では処理仕切れない量の生ゴミが搬入されてきた場合には、処理しきれない分については、まず、チップによる発酵処理を行い、ミミズでの処理が可能になったときに、ミミズコンポストの方に移せばよい。このように、チップでの処理を併せて行うことにより、搬入される生ゴミに多少の変動があっても、これに対応することが可能となる。なお、チップでの処理後はミミズの床にし、再度ミミズにて処理する。
【００２１】
図２は、上記の生ゴミ処理方法をコンピュータネットワークを構築して実現するための生ゴミ処理システムの全体構成を示す説明図である。
【００２２】
本実施形態の生ゴミ処理システムは、生ゴミを排出する生ゴミ排出者Ｂの端末２と、排出された生ゴミを養殖しているミミズの餌として受け取る養殖者Ｄの端末３と、生ゴミ排出者Ｂから排出される生ゴミを回収して任意の養殖者に搬入する搬送者Ｃの端末４と、これら生ゴミ排出者端末２、養殖者端末３及び搬送者端末４を管理する管理センター装置（以下、単に「センター装置」という。）１とが通信ネットワークＮ１，Ｎ２を介して接続された構成となっている。
【００２３】
また、センター装置１には、インターネット等の通信ネットワークＮ１を介して、堆肥を購入して一般ユーザ等に販売する堆肥販売者や農家等の堆肥利用者Ｅの端末５や、ミミズを購入して新規養殖を希望する新規養殖者Ｆの端末６が必要に応じて接続される構成となっている。また、センター装置１と養殖者端末３及び搬送者端末４とを接続する通信ネットワークＮ２は、例えばＬＡＮ等によって構築されている。
【００２４】
センター装置１は、生ゴミ排出者端末２から送信されてくる排出される生ゴミの情報に基づいて搬送者端末４に回収及び搬送指示を出力するとともに、養殖者端末３に搬送されてくる生ゴミの情報を出力する手段と、養殖者端末３から送信されてくる生ゴミを分解することによってミミズから排出された糞の量を堆肥情報として管理するとともに、生ゴミを餌として増殖したミミズの増殖分の量を養殖情報として管理する管理手段と、堆肥を購入して一般ユーザ等に販売等する堆肥利用者端末５から通信ネットワークＮ１を介して送られてくる発注要求に基づき、管理手段にて管理している堆肥情報に従って養殖者端末３に堆肥の出荷指示を出力する手段と、新たな養殖者となることを希望する新規養殖者端末６から通信ネットワークＮ１を介して送られてくるミミズの発注要求に基づき、管理手段にて管理している養殖情報に従って養殖者端末３にミミズの出荷指示を出力する手段とを備えている。
【００２５】
図３（ａ），（ｂ）は、センター装置１の管理手段にて管理されているデータベースの構成例を示している。
【００２６】
同図（ａ）は、各生ゴミ排出者Ｂを管理する顧客管理データベースであり、生ゴミの排出日時、排出量及び総排出量（積算値）の各項目からなっている。この顧客管理データベースに基づいて、各生ゴミ排出者Ｂの１カ月単位の生ゴミの排出量が管理されている。
【００２７】
同図（ｂ）は、各養殖者Ｄを管理する養殖者管理データベースであり、生ゴミの搬入日時、搬入量及び総搬入量（積算値）、糞の量（堆肥量）、ミミズの増殖分の各項目からなっている。この養殖者管理データベースに基づいて、各養殖者Ｄの１カ月単位の生ゴミの処理量、堆肥の生産量、販売可能なミミズの量などが管理されている。ただし、販売可能なミミズの量については、正確に把握することはできないので、あくまで養殖者による予測の量となる。または、管理センターＡから派遣された専門家の調査による予測の量となる。
【００２８】
次に、上記構成の生ゴミ処理システムにおける処理動作について、図４及び図５に示すフローチャートを参照して説明する。
【００２９】
食品メーカーやスーパー、ホテル等といった生ゴミ排出者Ｂが生ゴミを排出する場合には、生ゴミ排出者端末２を利用して、センター装置１にアクセスし、センター装置１から送られてくる発注依頼画面に必要事項を入力する（ステップＳ１）。
【００３０】
発注依頼画面には、図示は省略しているが、少なくとも依頼者の名称、住所、電話番号等を入力する依頼者情報入力欄と、発注量及び区分を入力する入力欄が設けられている。ここで、区分には、「ゴミ処理（回収）」、「ゴミ処理（持ち込み）」、「ミミズ発注」、「堆肥発注」のいずれかの区分を入力する。すなわち、発注依頼画面は、ゴミ排出者Ｂ、堆肥利用者Ｅ及び新規養殖者Ｆに共通の入力画面となっている。
【００３１】
従って、生ゴミ排出者Ｂは、この発注依頼画面に必要事項を入力する。区分については、自ら持ち込む場合は「ゴミ処理（持ち込み）」と入力し、業者に回収を依頼する場合には、「ゴミ処理（回収）」と入力する。なお、この区分の入力は、画面上に区分一覧が表示されるので、その中から選択する。また、発注量の欄には、生ゴミの排出量を入力する。この後、図示しない送信ボタンをクリックすることにより、発注依頼情報がセンター装置１に送信される。
【００３２】
センター装置１では、この発注依頼情報を受け取ると、区分の欄を確認し、区分が「ゴミ処理（回収）」である場合には、搬送者端末４に対して生ゴミの回収指示及び最寄りの（若しくは予め決定された指定の）養殖者Ｄまで回収した生ゴミを搬送する搬送指示を出力する（ステップＳ２）。また、センター装置１では、該当する生ゴミ排出者Ｂの顧客管理データベース（図３（ａ）参照）に発注依頼情報（生ゴミの排出日時と排出量）の内容を書き込んで管理する。
【００３３】
さらに、センター装置１は、搬入先の養殖者端末３に対して生ゴミの搬入があることを通知する（ステップＳ３）。養殖者Ｄは、生ゴミ排出者Ｂの出した生ゴミを受け取ってミミズコンポストに投入する。
【００３４】
このような処理を、各生ゴミ排出者Ｂ，Ｂ・・・から生ゴミ処理の発注依頼があるたびに繰り返す。
【００３５】
一方、養殖者Ｄは、搬入された生ゴミを順次分解することによってミミズから排出された糞の量を例えば日単位で計測し、その量を堆肥情報として養殖者端末３からセンター装置１に送信する（ステップＳ４）。この堆肥情報は、１日単位で送信してもよいし、例えば３日分をまとめて３日ごとに、あるいは１週間分をまとめて１週間ごとに送信してもよい。
【００３６】
また、養殖者Ｄは、生ゴミを餌として増殖したミミズの増殖分の量を例えば１カ月単位で観測し、その増殖分を養殖者端末３からセンター装置１に送信する（ステップＳ５）。ミミズは、１日に自分のほぼ体重分の生ゴミを消化することが分かっているので、例えば１日に処理する生ゴミの量から、ミミズの増殖分を推測することができる。
【００３７】
センター装置１では、養殖者端末３から送信されてきた堆肥情報と、ミミズの増殖分の情報とを、養殖者Ｄの養殖者データベース（図３（ｂ）参照）に書き込んで管理する（ステップＳ６）。
【００３８】
一方、堆肥の購入を希望する堆肥利用者Ｅは、堆肥利用者端末５を利用して、センター装置１にアクセスし、センター装置１から送られてくる発注依頼画面に必要事項を入力する（ステップＳ１１）。
【００３９】
このときの発注依頼画面は、先程の生ゴミ排出者Ｂが生ゴミの回収依頼をするときの発注依頼画面と共通の画面となっている。従って、堆肥利用者Ｅは、発注依頼画面に堆肥利用者の名称、住所、電話番号等を入力し、区分には、「堆肥発注」と入力する。なお、この区分の入力は、画面上に区分一覧が表示されるので、その中から選択する。また、発注量の欄には、今回発注する堆肥の量を入力する。この後、図示しない送信ボタンをクリックすることにより、堆肥の発注依頼情報がセンター装置１に送信される。
【００４０】
センター装置１では、この発注依頼情報を受け取ると、区分の欄を確認し、区分が「堆肥発注」である場合には、養殖者管理データベース（図３（ｂ）参照）を検索して堆肥情報から出荷可能な養殖者Ｄを検索し、その養殖者Ｄの養殖者端末３に堆肥の出荷指示を送信する（ステップＳ１２）。
【００４１】
養殖者端末３では、出荷指示に従って堆肥の出荷を行うとともに、堆肥出荷情報をセンター装置１に送信する（ステップＳ１３）。
【００４２】
センター装置１では、この堆肥出荷情報を受け取って、該当する養殖者端末３の堆肥情報を管理する（ステップＳ１４）。例えば、それまでの養殖者Ｄの堆肥情報（出荷可能な堆肥の重量）が１０ｋｇであり、今回の発注によって４ｋｇを出荷した場合には、その養殖者Ｄの堆肥情報を１０ｋｇから６ｋｇに変更する。
【００４３】
また、ミミズの購入を希望する新規養殖者Ｆは、新規養殖者端末６を利用して、センター装置１にアクセスし、センター装置１から送られてくる発注依頼画面に必要事項を入力する（ステップＳ１５）。
【００４４】
このときの発注依頼画面は、先程の生ゴミ排出者Ｂが生ゴミの回収依頼をするときの発注依頼画面と共通の画面となっている。従って、新規養殖者Ｆは、発注依頼画面に新規養殖者の名称、住所、電話番号等を入力し、区分には、「ミミズ発注」と入力する。なお、この区分の入力は、画面上に区分一覧が表示されるので、その中から選択する。また、発注量の欄には、今回発注するミミズの量を入力する。この後、図示しない送信ボタンをクリックすることにより、堆肥の発注依頼情報がセンター装置１に送信される。
【００４５】
センター装置１では、この発注依頼情報を受け取ると、区分の欄を確認し、区分が「ミミズ発注」である場合には、養殖者管理データベースを検索してミミズの増殖分情報から出荷可能な養殖者Ｄを検索し、その養殖者Ｄの養殖者端末３にミミズの出荷指示を送信する（ステップＳ１６）。
【００４６】
養殖者端末３では、出荷指示に従ってミミズの出荷を行うとともに、ミミズ出荷情報をセンター装置１に送信する（ステップＳ１７）。
【００４７】
センター装置１では、このミミズ出荷情報を受け取って、該当する養殖者端末３のミミズ増殖分情報を管理する（ステップＳ１８）。例えば、それまでの養殖者Ｄのミミズ増殖分情報（出荷可能なミミズの重量）が１００ｋｇであり、今回の発注によって４０ｋｇを出荷した場合には、その養殖者Ｄのミミズ増殖分情報を１００ｋｇから６０ｋｇに変更する。
【００４８】
センター装置１では、このように堆肥利用者Ｅや新規養殖者Ｆから発注があるたびに、上記の処理を実行して、堆肥やミミズの販売を管理するとともに、各養殖者Ｄ，Ｄ・・・の堆肥情報やミミズ増殖分情報なども同時に管理している。
【００４９】
このように、本実施形態の生ゴミ処理システムによれば、生ゴミ排出者Ｂが排出した生ゴミを、ミミズを養殖している養殖者Ｄに餌として搬入し、搬入された生ゴミを分解することによってミミズから排出された糞を堆肥として堆肥利用者Ｅに販売することにより、生ゴミ処理のリサイクルを実現している。また、これに加えて、搬入された生ゴミを餌として増殖したミミズを新規養殖者Ｆに販売することにより、本システムによる生ゴミ処理経路の拡大が可能となっている。
【００５０】
なお、このような堆肥の販売やミミズの販売による現金決済については、例えばこれらの情報を管理しているセンター装置１側でその都度入出金の処理を行っても良いし、養殖者Ｄと堆肥利用者Ｅまたは新規養殖者Ｆとの間で直接入出金の処理を行ってもよい。
【００５１】
【発明の効果】
本発明のミミズを利用した生ゴミ処理方法及び生ゴミ処理システムによれば、生ゴミ排出者が排出した生ゴミを、ミミズを養殖している養殖者に餌として搬入し、搬入された生ゴミを分解することによってミミズから排出された糞を堆肥として販売している。これにより、自然環境に優しい生ゴミ処理リサイクルを実現することができる。また、搬入された生ゴミを餌として増殖したミミズを新たな養殖者に販売している。これにより、本システムとしての生ゴミ処理経路を拡大していくことができる。
【図面の簡単な説明】
【図１】本発明のミミズを利用した生ゴミ処理方法の全体的な流れを示す説明図である。
【図２】本発明の生ゴミ処理方法をコンピュータネットワークを構築して実現するための生ゴミ処理システムの全体構成を示す説明図である。
【図３】（ａ），（ｂ）センター装置の管理手段にて管理されている各データベースの構成例を示しており、（ａ）は生ゴミ排出者を管理する顧客管理データベース、（ｂ）は養殖者を管理する養殖者管理データベースである。
【図４】本発明の生ゴミ処理システムにおける処理動作を説明するためのフローチャートである。
【図５】本発明の生ゴミ処理システムにおける処理動作を説明するためのフローチャートである。
【符号の説明】
Ａ　管理センター
Ｂ　生ゴミ排出者
Ｃ　生ゴミを搬送者
Ｄ　養殖者
Ｅ　堆肥利用者
Ｆ　新規養殖者
１　管理センター装置（センター装置）
２　生ゴミ排出者端末
３　養殖者端末
４　搬送者端末
５　堆肥利用者端末
６　新規養殖者端末
Ｎ１，Ｎ２　通信ネットワーク
【図１】
2004136200.tif 000003
【図２】
2004136200.tif 000004
【図３】
2004136200.tif 000005
【図４】
2004136200.tif 000006
【図５】
2004136200.tif 000007